(57)【要約】
【課題】エアーソフトガンの弾丸として使用するＢＢ弾の弾道を目視し易くすることによって大口径銃の力強さや迫力を再現すると共に、的に当たった際の衝撃力を低減することによって安全性を向上するようにしたＢＢ弾及び該ＢＢ弾を使用するエアーソフトガンを提供する。
【解決手段】エアーソフトガンに使用する球形のプラスチック製弾丸であるＢＢ弾の直径を８ｍｍとし、またＢＢ弾の通過する箇所を直径８ｍｍのＢＢ弾が通過するのに適するエアーソフトガンの内径又は口径としたものである。
【選択図】図１
0003100253.tif 000002
【実用新案登録請求の範囲】
【請求項１】
エアーソフトガンに使用する球形のプラスチック製弾丸であるＢＢ弾の直径を８ｍｍとしたことを特徴とするＢＢ弾。
【請求項２】
エアーソフトガンに使用する球形のプラスチック製弾丸であるＢＢ弾の直径を８ｍｍ以上としたことを特徴とするＢＢ弾。
【請求項３】
直径を８ｍｍとしたＢＢ弾を使用するエアーソフトガンにおける前記ＢＢ弾の通過する箇所を直径８ｍｍのＢＢ弾が通過するのに適する内径又は口径としたことを特徴とするエアーソフトガン。
【請求項４】
直径を８ｍｍ以上としたＢＢ弾を使用するエアーソフトガンにおける前記ＢＢ弾の通過する箇所を直径８ｍｍ以上のＢＢ弾が通過するのに適する内径又は口径としたことを特徴とするエアーソフトガン。
【考案の詳細な説明】
【技術分野】
【０００１】
　本考案は、エアーソフトガンの弾丸として使用するＢＢ弾及びこのＢＢ弾を使用するエアーソフトガンに関するものである。
【背景技術】
【０００２】
　エアーソフトガン（登録商標）とは、低空気圧又は低圧ガスによってプラスチック製の弾丸を発射する銃器（けん銃、小銃、機関銃等）を模した玩具銃の一種である。このようなエアーソフトガンに使用される球形のプラスチック製弾丸は、一般的にＢＢ弾と呼ばれている。
【０００３】
　ところで、実銃には様々な口径があって、それらの口径に応じて異なる直径の弾丸が使用されるものであるが、エアーソフトガンにおいては、大型のライフル銃であっても、小型のポケット型ピストルであっても、従来から使用されている弾丸は全て直径６ｍｍのＢＢ弾（「６ｍｍＢＢ弾」と略称する）であり、この点で、玩具銃のメーカーが異なってもすべて６ｍｍＢＢ弾で通用するという利点があった。
【０００４】
　ところが、６ｍｍＢＢ弾では、娯楽性の面から見ると、面白さに欠けるものであり、大口径銃の力強さや迫力を再現することは困難であった。また、６ｍｍＢＢ弾は小粒であるため、弾道が目視し難いという欠点があった。さらに、６ｍｍＢＢ弾がダンボール紙を打ち抜くほどの威力を発揮するため、安全性の面からも問題視される傾向にあった。
【０００５】
　なお、上記のようなＢＢ弾に関する従来技術を調査した結果、下記の特許文献１或いは特許文献２等のように、その構成物質や製法等に関しては種々存在するが、弾丸の直径に関する特許文献は存在しなかった。
【特許文献１】特開平６−２１３５９７号公報（第2頁）
【特許文献２】特開２０００−１６１９００号公報（第2頁）
【考案の開示】
【考案が解決しようとする課題】
【０００６】
　本考案は、上記のような事情に鑑みてなされたもので、エアーソフトガンの弾丸として使用するＢＢ弾の弾道を目視し易くすることによって大口径銃の力強さや迫力を再現すると共に、的に当たった際の衝撃力を低減することによって安全性を向上するようにしたＢＢ弾及び該ＢＢ弾を使用するエアーソフトガンを提供することを目的とする。
【課題を解決するための手段】
【０００７】
　上記の目的を達成するために、本考案の請求項１のＢＢ弾は、エアーソフトガンに使用する球形のプラスチック製弾丸であるＢＢ弾の直径を８ｍｍとしたことを特徴とする。
【０００８】
　また、本考案の請求項２のＢＢ弾は、エアーソフトガンに使用する球形のプラスチック製弾丸であるＢＢ弾の直径を８ｍｍ以上としたことを特徴とする。
【０００９】
　さらに、本考案の請求項１のＢＢ弾を使用するエアーソフトガンは、直径を８ｍｍとしたＢＢ弾を使用するエアーソフトガンにおける前記ＢＢ弾の通過する箇所を直径８ｍｍのＢＢ弾が通過するのに適する内径又は口径としたことを特徴とする。
【００１０】
　さらに、本考案の請求項２のＢＢ弾を使用するエアーソフトガンは、直径を８ｍｍ以上としたＢＢ弾を使用するエアーソフトガンにおける前記ＢＢ弾の通過する箇所を直径８mm以上のＢＢ弾が通過するのに適する内径又は口径としたことを特徴とする。
【考案の効果】
【００１１】
　本考案による８ｍｍＢＢ弾は、従来の６ｍｍＢＢ弾に比べて拡大した分、取り扱いやすく、見た目にも随分拡大された印象を与えるものである。このため、発射後の弾道に関して、従来の６ｍｍＢＢ弾に比べて目視ではるかに大きく見え、発射後の弾丸の視認性が向上するため遊戯中の娯楽性が向上すると共に安全性が向上し、大口径銃の力強さや迫力を再現することが可能となる。
【００１２】
　また、本考案による８ｍｍＢＢ弾は、６ｍｍＢＢ弾に比べて的に当たった際の衝突の面積が拡大するため、仮にこのＢＢ弾が人等に当たった際にも衝撃力を緩和して安全性を向上することが可能となる。
【考案を実施するための最良の形態】
【００１３】
　以下、本考案の実施例について図面を参照しながら説明する。
【実施例１】
【００１４】
　図１(a)は本実施例の８ｍｍＢＢ弾１の外観図であり、図１(b)は従来の６ｍｍＢＢ弾２の外観図であり、両図面における実物との比率は同様にして図示してある。
【００１５】
　この実施例のＢＢ弾１は、図1(a)に示すように、プラスチック製による球状弾丸の直径を８ｍｍとしたものである。この８ｍｍＢＢ弾の製法に関して、その構成材料は従来の６ｍｍＢＢ弾と異なるものではない。
【００１６】
　このような８ｍｍＢＢ弾１は、図１(b)に示す従来の６ｍｍＢＢ弾２に比べて、直径が僅かに２ｍｍ増加しただけであるが、見た目には随分拡大化された印象を与えるものである。
【００１７】
　弾道実験における視認性も従来の６ｍｍＢＢ弾２に比べてはるかに大きく見えるものであり、エアーソフトガンの弾丸として使用する際の弾道が従来に比べて非常に目視し易くなり、大口径銃の力強さや迫力を再現することが可能となる。
【００１８】
　また、８ｍｍＢＢ弾１は、体積比で、6ｍｍＢＢ弾２の２．３７倍拡大化されたことなり、的に当たった際の衝突の面積が拡大するため、衝撃力が低減する。このため、従来のようにダンボールを貫通するような圧力を発揮することがなく、仮にこのＢＢ弾が人間に当たった際の安全性を向上することができる。
【実施例２】
【００１９】
　本実施例におけるDｍｍＢＢ弾３は、プラスチック製による球状弾丸の直径Dを８ｍｍ以上としたものである。ちなみに、図２(a)には直径D＝９ｍｍのＢＢ弾を図示してあり、これと同様の拡大比で図示した6ｍｍＢＢ弾を図２(b)に示してある。
【００２０】
　この実施例のＢＢ弾３は、従来の６ｍｍＢＢ弾２に比べて、直径を３ｍｍ増加したものであり、見た目には実施例１の８ｍｍＢＢ弾以上に随分拡大化された印象を与えるものであるが、その直径をあまり大きくすると、弾丸としての印象から遠ざかるうえ、エアーソフトガンの口径も拡大化して、エアーソフトガンの設計上での問題点が生じる。
【００２１】
　従って、本考案においては、直径８ｍｍのＢＢ弾を理想とするものであるが、それよりも直径を多少拡大した寸法は許容し得るものである。
【実施例３】
【００２２】
　この実施例のエアーソフトガン４は、上記の８ｍｍＢＢ弾を使用することができるように、エアーソフトガン４におけるＢＢ弾の通過する箇所を直径８ｍｍのＢＢ弾が通過するのに適する内径又は口径としたものであり、その他の構造等は従来のものと同様である。
【００２３】
　ちなみに、図３において、８ｍｍＢＢ弾１を使用するエアーソフトガン４の場合、銃身５の口径Ａは８．０３ｍｍであり、弾倉部６の内径Ｂは８．３ｍｍとする。
【００２４】
　この本考案によるエアーソフトガン４によれば、上記のように８ｍｍＢＢ弾の発射を可能とすることによって、大口径銃の力強さや迫力を再現することが可能となる。
【産業上の利用可能性】
【００２５】
　本考案のＢＢ弾は、玩具銃として知られるエアーソフトガンに使用する球形のプラスチック製弾丸として利用し得るものである。
【００２６】
　また、本考案のエアーソフトガンは、玩具銃であって、直径８ｍｍのＢＢ弾を使用するエアーソフトガンとして利用し得るものである。
【図面の簡単な説明】
【００２７】
【図１】(a)は本考案による８ｍｍＢＢ弾の外観図であり、(b)は従来の６ｍｍＢＢ弾の外観図である。
【図２】(a)は本考案によるDｍｍＢＢ弾の外観図であり、(b)は従来の６ｍｍＢＢ弾の外観図である。
【図３】本考案によるエアーソフトガンの断面図である。
【符号の説明】
【００２８】
　１…８ｍｍＢＢ弾
　２…６ｍｍＢＢ弾
　３…DｍｍＢＢ弾
　４…エアーソフトガン
　５…銃身
　６…弾倉部
　A…銃身の口径
　B…弾倉部の内径
【図１】
0003100253.tif 000003
【図２】
0003100253.tif 000004
【図３】
0003100253.tif 000005